(57)【要約】【課題】引き出しユニットが装置本体から引き出された際に引き出しユニットの各部が動作することを簡素な構成で防止する。【解決手段】外部から電力が供給され電子写真方式により転写材に画像形成を行なう画像形成装置において、装置本体の収納部に対して収納及び引き出し自在な引き出しユニット３１に設けられ引き出しユニット３１に含まれる被給電部に装置本体側から電力を供給するためのハーネス３６が接続される基板３７と、この基板３７に接続され引き出しユニット３１の収納部に対する収納及び引き出しに伴い装置本体に対して接離する電極３５と、を備える。電極３５による電圧変化に基づいて収納部から引き出しユニット３１が引き出されたことを検出手段により検出し、その検出に応じて、引き出しユニット３１に含まれる被給電部をリセット状態とする。【選択図】    図３
2004252182.tif 000002
【特許請求の範囲】
【請求項１】
外部から電力が供給され電子写真方式により転写材に画像形成を行なう画像形成装置において、
前記電力の供給を受ける少なくとも一つの被給電部を含み、装置本体の収納部に対して収納及び引き出し自在な引き出しユニットと、
前記引き出しユニットに設けられ、前記引き出しユニットに含まれる前記被給電部に前記装置本体側から前記電力を供給するためのハーネスが接続される基板と、
前記基板に接続され、前記引き出しユニットの前記収納部に対する収納及び引き出しに伴い前記装置本体に対して接離する電極と、
前記電極による電圧変化に基づいて前記収納部から前記引き出しユニットが引き出されたことを検出する検出手段と、
前記引き出しユニットが前記収納部から引き出されたことを前記検出手段が検出した場合、前記引き出しユニットに含まれる前記被給電部をリセット状態とする第一のリセット手段と、
を備えることを特徴とする画像形成装置。
【請求項２】
感光体にトナー像を形成する作像部を備え、
前記引き出しユニットは、前記被給電部であり転写材にトナー像を転写する転写部と、前記被給電部でありトナー像を転写材に定着させる定着部と、前記被給電部であり転写材を排紙する排紙搬送部と、前記被給電部でありトナー像が定着された後の転写材を裏返して前記作像部に再送する循環搬送部とを含む、ことを特徴とする請求項１記載の画像形成装置。
【請求項３】
前記装置本体側からのリセット信号により前記引き出しユニットに含まれる前記被給電部をリセット状態とする第二のリセット手段を備えることを特徴とする請求項１又は２記載の画像形成装置。
【請求項４】
前記検出手段は、前記電極による電圧変化に基づいて前記収納部に前記引き出しユニットが収納されたことも検出することを特徴とする請求項１，２又は３記載の画像形成装置。
【請求項５】
前記電極は、複数設けられ、
前記検出手段は、複数の前記電極による電圧変化に基づいて前記収納部に前記引き出しユニットが収納されたことを検出することを特徴とする請求項４記載の画像形成装置。
【請求項６】
前記引き出しユニットに含まれる前記被給電部を制御する個別制御部と、
前記個別制御部を制御するユニット制御部と、
前記検出手段が前記収納部に前記引き出しユニットが収納されたことを検出した場合、前記ユニット制御部を前記個別制御部よりも早く動作可能とさせる時間差立ち上げ手段と、
を備えることを特徴とする請求項４又は５記載の画像形成装置。
【発明の詳細な説明】
【０００１】
【発明の属する技術分野】
本発明は、電子写真方式により画像形成を行なうプリンタ、複写機、ファクシミリ等の画像形成装置に関する。
【０００２】
【従来の技術】
従来、電子写真方式を用いたプリンタや複写機やファクシミリ等の画像形成装置には、感光体にトナー像を形成する作像部、この作像部に用紙を搬送する給紙部、感光体に形成されたトナー像を用紙に転写させる転写部、用紙のトナー像を用紙に定着させる定着部、用紙を排紙する排紙搬送部、用紙の両面に画像形成を行なうために用紙を裏返して作像部へ搬送する循環搬送部等が設けられている。これらの各部は、被給電部とされ、装置本体に設けられた電源部から供給される電力により動作する。
【０００３】
このような画像形成装置には、転写部と、定着部と、排紙搬送部と、循環搬送部とが一つの引き出しユニットとしてユニット化され、装置本体の収納部に対して収納及び引き出し自在に設けられているものがある。このような構造にすることにより、用紙のジャム処理作業の作業性が向上する。
【０００４】
この画像形成装置では、引き出しユニットの各被給電部と装置本体とがそれぞれドロワコネクタ等のコネクタを介してそれぞれの専用ハーネスにより接続されている。これらハーネスにより各被給電部へ電力及び制御信号が伝達される。
【０００５】
ところで、このような構成では、ハーネスとドロワコネクタとがそれぞれ複数使用されているので、装置本体と引き出しユニットとの接続が困難であり、それらの間の接続不良等の問題を引き起こしている。また、ハーネスの本数が多いため、引き出しユニットを収納部から引き出したり、収納部に収納したりする際に、多数のハーネスを屈曲させなければならないので、作業性が悪いという問題もある。コネクタを介さず、ハーネスを直接各被給電部に接続する方法も考えられるが、やはりハーネスの本数が複数となってしまう。
【０００６】
そこで、装置本体から引き出しユニットへのハーネスの接続先としてＰＣＢ基板を用いることにより、ＰＣＢ基板内で電流を分岐して各被給電部へ配給したり、ＰＣＢ基板に各被給電部を制御する制御部を搭載することにより装置本体と引き出しユニットとを接続するハーネスの本数を大幅に減らすことができる。
【０００７】
ここで、基板上に記憶手段とバックアップ電源とを搭載し、この基板を装置本体に対して着脱自在に設けた情報記録再生装置がある（例えば、特許文献１）。
【０００８】
【特許文献１】
特開平６−１２７７２号公報
【０００９】
【発明が解決しようとする課題】
ところで、前述したようにＰＣＢ基板にハーネスを接続した場合、装置本体と引き出しユニットとが常にハーネスにより接続されており、引き出しユニットの各被給電部は常に通電された状態となる。これにより、例えば、ユーザが画像形成装置におけるジャム処理を行うため引き出しユニットを装置本体の収納部から引き出したときでも、引き出しユニットの各被給電部、例えば排紙搬送部や循環搬送部の搬送ローラ等が動作してしまうことにより、ジャム処理を行うユーザに対する安全性が低下するという問題が生じることが考えられる。
【００１０】
そこで、引き出しユニットが収納部から引き出された場合、引き出しユニットへの通電を解除するようにすればよいが、それにはインターロックスイッチのような複雑な機構が別途必要となりコスト高になってしまう。
【００１１】
ところで、特許文献１には、引き出しユニットが装置本体の保持部から引き出された際の動作の停止を簡素な構成で実現する方法に関しては触れられていない。
【００１２】
本発明の目的は、引き出しユニットが装置本体から引き出された際に引き出しユニットの各部が動作することを簡素な構成で防止することである。
【００１３】
【課題を解決するための手段】
請求項１記載の発明は、外部から電力が供給され電子写真方式により転写材に画像形成を行なう画像形成装置において、前記電力の供給を受ける少なくとも一つの被給電部を含み、装置本体の収納部に対して収納及び引き出し自在な引き出しユニットと、前記引き出しユニットに設けられ、前記引き出しユニットに含まれる前記被給電部に前記装置本体側から前記電力を供給するためのハーネスが接続される基板と、前記基板に接続され、前記引き出しユニットの前記収納部に対する収納及び引き出しに伴い前記装置本体に対して接離する電極と、前記電極による電圧変化に基づいて前記収納部から前記引き出しユニットが引き出されたことを検出する検出手段と、前記引き出しユニットが前記収納部から引き出されたことを前記検出手段が検出した場合、前記引き出しユニットに含まれる前記被給電部をリセット状態とする第一のリセット手段と、を備える。
【００１４】
したがって、例えばユーザにより引き出しユニットが収納部から引き出された場合には、電極が装置本体から離反し、この電極の装置本体からの離反に伴う電極による電圧変化に基づいて引き出しユニットが収納部から引き出されたことを検出手段が検出し、その検出に応じて第一のリセット手段が引き出しユニットに含まれる被給電部をリセット状態とする。
【００１５】
請求項２記載の発明は、請求項１記載の画像形成装置において、感光体にトナー像を形成する作像部を備え、前記引き出しユニットは、前記被給電部であり転写材にトナー像を転写する転写部と、前記被給電部でありトナー像を転写材に定着させる定着部と、前記被給電部であり転写材を排紙する排紙搬送部と、前記被給電部でありトナー像が定着された後の転写材を裏返して前記作像部に再送する循環搬送部とを含む。
【００１６】
したがって、転写部、定着部、排紙搬送部、循環搬送部のメンテナンスを容易に行なえる。
【００１７】
請求項３記載の発明は、請求項１又は２記載の画像形成装置において、前記装置本体側からのリセット信号により前記引き出しユニットに含まれる前記被給電部をリセット状態とする第二のリセット手段を備える。
【００１８】
したがって、引き出しユニットに含まれる被給電部に対して装置本体側からリセットをかけることが可能である。
【００１９】
請求項４記載の発明は、請求項１，２又は３記載の画像形成装置において、前記検出手段は、前記電極による電圧変化に基づいて前記収納部に前記引き出しユニットが収納されたことも検出する。
【００２０】
したがって、引き出しユニットの収納部に対する収納の検出のために機構を別途設ける必要がない。
【００２１】
請求項５記載の発明は、請求項４記載の画像形成装置において、前記電極は、複数設けられ、前記検出手段は、複数の前記電極による電圧変化に基づいて前記収納部に前記引き出しユニットが収納されたことを検出する。
【００２２】
したがって、複数の情報に基づいて引き出しユニットの収納部に対する収納を検出するので、その検出がより確実なものとなる。
【００２３】
請求項６記載の発明は、請求項４又は５記載の画像形成装置において、前記引き出しユニットに含まれる前記被給電部を制御する個別制御部と、前記個別制御部を制御するユニット制御部と、前記検出手段が前記収納部に前記引き出しユニットが収納されたことを検出した場合、前記ユニット制御部を前記個別制御部よりも早く動作可能とさせる時間差立ち上げ手段と、を備える。
【００２４】
したがって、引き出しユニットが収納部に収納された際にユニット制御部により個別制御部を制御することが可能となる。
【００２５】
【発明の実施の形態】
本発明の第一の実施の形態を図１ないし図９に基づいて説明する。ここで、図１は本実施の形態の画像形成装置を示す正面断面図、図２は引き出しユニット３１が引き出された状態の画像形成装置を示す側面図、図３は引き出しユニット３１を背面３１ａ側から示す斜視図、図４は装置本体３２と引き出しユニット３１とハーネス３６との関係を示す斜視図、図５はハーネスガイド３９を示す平面図、図６はハーネスガイド３９を示す斜視図である。
【００２６】
図１に示すように、画像形成装置１の本体ハウジング２の内部には、転写材である用紙３が積層保持される給紙部４から画像形成された用紙３が排紙される排紙トレイ５に到る用紙搬送路６が形成され、この用紙搬送路６に沿って、用紙搬送部７、作像部８、転写部９、定着部１０、排紙搬送部１１等が配置されている。さらに、本体ハウジング２の内部には、転写部９の用紙搬送方向下流側の用紙搬送路６から分岐して循環搬送部１２を経由して作像部８の用紙搬送方向上流側の用紙搬送路６に合流する循環路１３が形成されている。ここで、用紙搬送部７、作像部８、転写部９、定着部１０、排紙搬送部１１、循環搬送部１２は、被給電部とされている。
【００２７】
作像部８は、感光体１４、放電により感光体１４の表面を一様に帯電させる帯電部１５、感光体１４を露光走査して感光体１４の表面にトナーを誘引する電界を付与して静電潜像を形成する露光部１６、感光体１４の表面に形成された静電潜像に対してトナーを供給することによりその静電潜像をトナー像として現像する現像部１７、そのトナー像が転写部９により用紙３に転写された後に感光体１４の表面に残留したトナーを除去するクリーニング部１８等により構成されている。
【００２８】
転写部９は、転写ベルト１９がローラ２０ａ，２０ｂ間に架け渡されて構成されており、転写ベルトにより用紙３を感光体１４に押し付けることにより、用紙３に対してトナー像を転写させる。また、ローラ２０ａは図示しないモータにより回転駆動され、これにより、転写部９は用紙３を搬送する機能も有している。
【００２９】
定着部１０は、発熱源であるヒータ（図示せず）を内蔵する加熱ローラ２１と加圧ローラ２２とを備えており、用紙３に転写されたトナー像を加熱及び加圧することにより用紙３に定着させる。
【００３０】
排紙搬送部１１は、図示しないモータにより駆動される搬送ローラ２３と、従動ローラ２４とを備えており、これらの搬送ローラ２３と従動ローラ２４とにより用紙３を挟持して搬送する。
【００３１】
循環搬送部１２には、定着部１０を通過した用紙３の搬送方向を用紙搬送路６又は循環路１３に切り替える切替爪２５が設けられている。循環路１３は、用紙３を搬送する搬送ローラ２６が設けられている。循環路１３は、用紙３をスイッチバックさせるための反転路１３ａと、スイッチバックされた用紙３を再び作像部８へ搬送するための再給送路１３ｂとから構成されている。反転路１３ａには、正逆回転されることにより用紙３をスイッチバックさせる反転ローラ２７が設けられている。再給送路１３ｂと反転路１３ａとの分岐箇所には、反転路１３ａ内でスイッチバックされた用紙３の搬送方向を再給送路１３ｂ又は反転路１３ａに切り替える切替爪２８が設けられており、反転ローラ２７によりスイッチバックされた用紙３は切替爪２８により再給送路１３ｂに案内されて裏返された状態で再び作像部８へ搬送される。ここで、搬送ローラ２６、反転ローラ２７は図示しないモータにより回転駆動される。
【００３２】
そして、このような画像形成装置１では、電子写真方式のプロセスである帯電、露光、現像、転写、定着により用紙３に画像が形成される。
【００３３】
図１及び図２に示すように、上述した転写部９、定着部１０、排紙搬送部１１、両面用搬送は、ユニットハウジング３０に一体に設けられてユニット化され単一の引き出しユニット３１を構成している。ここで、画像形成装置１における引き出しユニット３１以外の部分は装置本体３２とされる。
【００３４】
この引き出しユニット３１は、本体ハウジング２に形成された収納部３３に対して収納及び引き出し自在にスライドレール機構３４によって保持されている。
【００３５】
図２及び図３に示すように、引き出しユニット３１の背面３１ａ側には、電極である位置決めピン３５が突出して設けられている。この位置決めピン３５は、引き出しユニット３１が収納部３３に収納されている状態で装置本体３２の本体ハウジング２に接触し、引き出しユニット３１が収納部３３から引き出された状態で、本体ハウジング２に接触しない状態となる。
【００３６】
図３及び図４に示すように、この引き出しユニット３１は、汎用的なハーネス３６により装置本体３２と接続されている。このハーネス３６により電力や制御信号が装置本体３２側から引き出しユニット３１に入力される。このハーネスの引き出しユニット３１の接続先は、引き出しユニット３１の背面３１ａ側に設けられたＰＣＢ基板３７である。このＰＣＢ基板３７には位置決めピン３５が板金３８を介して接続されている。板金３８は、ＰＣＢ基板３７のレジストされていない部分に接続されている。これにより、位置決めピン３５は板金３８を介して通電されている。
【００３７】
図５及び図６に示すように、ハーネス３６は、収納部３３に取り付けられたハーネスガイド３９内に配線されている。ハーネスガイド３９は、同形状の２つのガイド部材４０ａ，４０ｂが組み合わされて構成されている。ガイド部材４０ａ，４０ｂは、上壁４１、下壁４２、側壁４３を有して断面がコの字型に形成されている。ハーネス３６はこのコの字の内側に配線されている。上壁４１の一端側には、上方に突出した突起４４が設けられ、上壁４１の他端側には孔４５が形成されている。下壁４２の一端側には、孔４６が設けられ、下壁４２の他端側には下方に突出した突起４７が設けられている。側壁４３の両端部には切り欠き４８が形成されている。そして、一方のガイド部材４０ａの一端側の突起４４及び孔４６が他方のガイド部材４０ｂの孔４５及び突起４７に嵌合している。ガイド部材４０ａ，４０ｂは、２つのガイド部材４０ａ，４０ｂの結合部を支点として回動自在とされている。
【００３８】
次に、画像形成装置１が備える各部の電気的接続を図７に基づいて説明する。ここで、図７は画像形成装置１の各部の電気的接続を示すブロック図である。図７に示すように、画像形成装置１には、ＣＰＵ、ＲＯＭ、ＲＡＭ（いずれも図示せず）等により構成され画像形成装置１の各部を制御するメイン制御部５１が設けられている。このメイン制御部５１には、用紙搬送部７を駆動制御する用紙搬送制御部５２、作像部８を駆動制御する作像制御部５３、電源５４、引き出しユニット３１等が接続されている。前述したように、引き出しユニット３１は、ハーネス３６によりメイン制御部５１に接続されている。
【００３９】
引き出しユニット３１のＰＣＢ基板３７には、ＣＰＵ、ＲＯＭ、ＲＡＭ（いずれも図示せず）等により構成され引き出しユニット３１の各部を制御するユニット制御部５５が設けられている。このユニット制御部５５には、転写部９を駆動制御する個別制御部である転写制御部５６、定着部１０を駆動制御する個別制御部である定着制御部５７、排紙搬送部１１を駆動制御する個別制御部である排紙搬送制御部５８、循環搬送部１２を駆動制御する個別制御部である循環搬送制御部５９等が接続されている。これらの各部は、メイン制御部５１に接続されている。また、ＰＣＢ基板３７には、検出手段である信号検出回路６０が設けられている。
【００４０】
図８は引き出しユニット３１が収納された状態での信号検出回路６０を示す模式図、図９は引き出しユニット３１が引き出された状態での信号検出回路６０を示す模式図である。図８及び図９に示すように、信号検出回路６０には、例えばＬＳ０４等のＮＯＴ素子６１が設けられている。ＮＯＴ素子６１の入力側は、位置決めピン３５を介してＶｃｃ６２にプルアップされており、ＮＯＴ素子６１の出力側は、各制御部（転写制御部５６、定着制御部５７、排紙搬送制御部５８、循環搬送制御部５９、ユニット制御部５５）及びメイン制御部５１に接続されている。
【００４１】
次に、この信号検出回路６０の動作及び各制御部（転写制御部５６、定着制御部５７、排紙搬送制御部５８、循環搬送制御部５９、ユニット制御部５５）の動作を説明する。まず、引き出しユニット３１が装置本体３２の収納部３３に収納されている状態では、位置決めピン３５が本体ハウジング２に接触しているので、電流の一部は本体ハウジング２へ流れる。これにより、プルアップされた信号（電圧）は「Ｌ」レベル信号となり、その信号はＮＯＴ素子６１により反転されて「Ｈ」レベル信号とされて、この「Ｈ」レベル信号が各制御部（転写制御部５６、定着制御部５７、排紙搬送制御部５８、循環搬送制御部５９、ユニット制御部５５）へ供給される。
【００４２】
一方、引き出しユニット３１が収納部３３から引き出されると、位置決めピン３５が本体ハウジング２から離れるので、プルアップされた「Ｈ」レベルの信号（電圧）はＮＯＴ素子６１により反転され「Ｌ」レベル信号とされて、この「Ｌ」レベル信号がリセット信号として各制御部（転写制御部５６、定着制御部５７、排紙搬送制御部５８、循環搬送制御部５９、ユニット制御部５５）へ供給される。このリセット信号が入力された各制御部（転写制御部５６、定着制御部５７、排紙搬送制御部５８、循環搬送制御部５９）はそれらが制御する各部（転写部９、定着部１０、排紙搬送部１１、循環搬送部１２）をリセット状態とし、それらの動作を停止させる。ここに、第一のリセット手段の機能が実行される。また、このとき、ユニット制御部５５は、リセット信号によりユニット制御部５５をリセット状態にする。
【００４３】
このような状態から、引き出しユニット３１が装置本体３２の収納部３３に収納されると、前述したようにＮＯＴ素子６１から各制御部（転写制御部５６、定着制御部５７、排紙搬送制御部５８、循環搬送制御部５９、ユニット制御部５５）へ「Ｈ」レベル信号が供給される。この「Ｈ」レベル信号はリセット解除信号とされ、この「Ｈ」レベル信号が入力された各制御部（転写制御部５６、定着制御部５７、排紙搬送制御部５８、循環搬送制御部５９）は、それらが制御する各部（転写部９、定着部１０、排紙搬送部１１、循環搬送部１２）のリセット状態を解除する。また、ユニット制御部５５は、リセット解除信号によりユニット制御部５５のリセット状態を解除する。
【００４４】
これらのリセット信号（「Ｌ」レベル信号）、リセット解除信号（「Ｈ」レベル信号）は、メイン制御部５１にも出力されるので、これにより、メイン制御部５１は、引き出しユニット３１の動作状態を把握することができる。
【００４５】
以上説明したように、本実施の形態では、例えばユーザにより引き出しユニット３１が収納部３３から引き出された場合には、位置決めピン３５が装置本体３２の本体ハウジング２から離反し、この位置決めピン３５の本体ハウジング２からの離反に伴う位置決めピン３５による電圧変化に基づいて引き出しユニット３１が収納部３３から引き出されたことを信号検出回路６０が検出してリセット信号を各制御部（転写制御部５６、定着制御部５７、排紙搬送制御部５８、循環搬送制御部５９、ユニット制御部５５）に対して出力し、そのリセット信号の入力により各制御部（転写制御部５６、定着制御部５７、排紙搬送制御部５８、循環搬送制御部５９、ユニット制御部５５）が引き出しユニット３１に含まれる各部（転写部９、定着部１０、排紙搬送部１１、循環搬送部１２、ユニット制御部５５）をリセット状態とするので、引き出しユニット３１が装置本体３２の収納部３３から引き出された際に引き出しユニット３１の各部（転写部９、定着部１０、排紙搬送部１１、循環搬送部１２、ユニット制御部５５）が動作することを、例えばインターロックスイッチのような複雑な機構を特に設けることなく、簡素な構成で防止することができる。
【００４６】
また、引き出しユニット３１は、転写部９と、定着部１０と、排紙搬送部１１と、循環搬送部１２とを含むので、引き出しユニット３１を収納部３３から引き出すことで、転写部９、定着部１０、排紙搬送部１１、循環搬送部１２のメンテナンスを容易に行なうことができる。
【００４７】
また、信号検出回路６０は、位置決めピン３５による電圧変化に基づいて収納部３３に対する引き出しユニット３１の引き出し／収納状態を検出しその検出に対応する信号をメイン制御部５１に出力するので、装置本体３２のメイン制御部５１で引き出しユニット３１の引き出し／収納状態を把握することができる。また、引き出しユニット３１の収納部３３に対する収納／引き出しの検出を単一の信号検出回路６０によって行なっているので、画像形成装置１を簡素な構成とすることができる。
【００４８】
次に、本発明の第二の実施の形態を図１０に基づいて説明する。なお、上述した実施の形態と同じ部分は同一符号で示し説明も省略する（以降の実施の形態も同様）。ここで、図１０は本実施の形態の信号検出回路６０を示す模式図である。
【００４９】
本実施の形態は、メイン制御部５１から引き出しユニット３１に入力されたリセット信号によっても、引き出しユニット３１の各部（転写部９、定着部１０、排紙搬送部１１、循環搬送部１２、ユニット制御部５５）がリセット状態とされる点が前述した第一の実施の形態に対して異なる。
【００５０】
図１０に示すように、本実施の形態の信号検出回路６０には、ＮＯＴ素子６１の代わりにＮＯＲ素子７１が設けられている。このＮＯＲ素子７１の第一の入力側は、位置決めピン３５を介してＶｃｃ６２にプルアップされており、第二の入力側は、装置本体３２のメイン制御部５１に接続されている。ＮＯＲ素子７１の出力側は、各制御部（転写制御部５６、定着制御部５７、排紙搬送制御部５８、循環搬送制御部５９、ユニット制御部５５）及びメイン制御部５１に接続されている。
【００５１】
次に、この信号検出回路６０の動作を説明する。まず、メイン制御部５１は、引き出しユニット３１をリセットさせる場合には、信号検出回路６０に「Ｈ」レベル信号を入力し、リセットさせない場合には、信号検出回路６０に「Ｌ」レベル信号を入力する。
【００５２】
メイン制御部５１から引き出しユニット３１にリセットをかけない場合は、メイン制御部５１から信号検出回路６０に「Ｌ」レベル信号が入力されるので、この場合には、信号検出回路６０から出力される信号は、ＮＯＲ素子７１の動作により第一の実施の形態と同様に引き出しユニット３１の位置によって決まる。つまり、引き出しユニット３１が引き出されている場合には、リセット信号が出力され、引き出しユニット３１が収納されている場合には、リセット解除信号が出力される。
【００５３】
一方、メイン制御部５１から引き出しユニット３１にリセットをかける場合は、メイン制御部５１から信号検出回路６０に「Ｈ」レベル信号が入力されるので、この場合には、信号検出回路６０から出力される信号は、ＮＯＲ素子７１の動作により引き出しユニット３１位置によらずに、リセット解除信号である「Ｌ」レベル信号となる。これにより、各制御部（転写制御部５６、定着制御部５７、排紙搬送制御部５８、循環搬送制御部５９、ユニット制御部５５）の動作により引き出しユニット３１の各部（転写部９、定着部１０、排紙搬送部１１、循環搬送部１２、ユニット制御部５５）がリセット状態にされる。ここに、第二のリセット手段の機能が実行される。
【００５４】
以上説明したように、本実施の形態では、引き出しユニット３１に含まれる各部（転写制御部５６、定着制御部５７、排紙搬送制御部５８、循環搬送制御部５９、ユニット制御部５５）に対して装置本体３２のメイン制御部５１からリセットをかけることが可能であるので、例えば、画像形成装置１の電源投入時に装置本体３２のメイン制御部５１から引き出しユニット３１に含まれる各部（転写制御部５６、定着制御部５７、排紙搬送制御部５８、循環搬送制御部５９、ユニット制御部５５）に対してリセットをかけることにより、画像形成装置１の電源５４投入時において仮に電圧不安定状態となった場合でも、引き出しユニット３１の各部（転写部９、定着部１０、排紙搬送部１１、循環搬送部１２、ユニット制御部５５）における誤動作の発生を防止することができる。
【００５５】
次に、本発明の第三の実施の形態を図１１に基づいて説明する。ここで、図１１は本実施の形態の引き出しユニット３１を示す背面３１ａ側から示す斜視図である。
【００５６】
本実施の形態では、図１１に示すように、位置決めピン３５が２つ設けられ、それぞれに対応した板金３８及び信号検出回路６０も２つ設けられている。
【００５７】
これらの信号検出回路６０からメイン制御部５１に出力される信号は、例えばＬＳ０８等のＡＮＤ素子（図示せず）でＡＮＤが取られた後に、メイン制御部５１に出力される。つまり、全ての信号検出回路６０から信号がリセット解除信号の場合のみリセット解除信号がメイン制御部５１に出力される。ここで、ＡＮＤ素子は検出手段の一部を構成している。
【００５８】
一方、信号検出回路６０から各制御部（転写制御部５６、定着制御部５７、排紙搬送制御部５８、循環搬送制御部５９、ユニット制御部５５）に出力される信号は、例えば、ＮＯＲ素子（図示せず）によりＮＯＲを取られた後に、各制御部（転写制御部５６、定着制御部５７、排紙搬送制御部５８、循環搬送制御部５９、ユニット制御部５５）に出力される。
【００５９】
このような構成により、複数の情報に基づいて引き出しユニット３１の収納部３３に対する収納が検出されるので、その検出をより確実なものとすることができる。
【００６０】
次に、本発明の第四の実施の形態を図１２に基づいて説明する。ここで、図１２は本実施の形態の信号検出回路６０と遅延回路８１とを示す模式図である。
【００６１】
本実施の形態では、図１２に示すように、ユニット制御部５５を除く各制御部（転写制御部５６、定着制御部５７、排紙搬送制御部５８、循環搬送制御部５９）と信号検出回路６０との間に時間差立ち上げ手段であるＲＣ回路による遅延回路８１が組み込まれている。一方、ユニット制御部５５と信号検出回路６０とは直接接続されており、それらの間に遅延回路は組み込まれていない。
【００６２】
このような構成において、信号検出回路６０が収納部３３に引き出しユニット３１が収納されたことを検出した場合、信号検出回路６０がユニット制御部５５、各制御部（転写制御部５６、定着制御部５７、排紙搬送制御部５８、循環搬送制御部５９）に対してリセット解除信号を出力する。このとき、各制御部（転写制御部５６、定着制御部５７、排紙搬送制御部５８、循環搬送制御部５９）に対して出力されたリセット解除信号は、遅延回路８１により遅延される。これにより各制御部（転写制御部５６、定着制御部５７、排紙搬送制御部５８、循環搬送制御部５９）よりもユニット制御部５５の方が早くリセット解除信号が入力され、ユニット制御部５５が各制御部（転写制御部５６、定着制御部５７、排紙搬送制御部５８、循環搬送制御部５９）よりも早く立ち上がり、これにより、ユニット制御部５５は各制御部（転写制御部５６、定着制御部５７、排紙搬送制御部５８、循環搬送制御部５９）よりも早く動作可能となる。
【００６３】
これにより、例えば、引き出しユニット３１が収納部３３に収納された際にユニット制御部５５により各制御部（転写制御部５６、定着制御部５７、排紙搬送制御部５８、循環搬送制御部５９）を制御してそれらの各制御部（転写制御部５６、定着制御部５７、排紙搬送制御部５８、循環搬送制御部５９）が制御する各部（転写部９、定着部１０、排紙搬送部１１、循環搬送部１２）をリセット状態に維持することができ、引き出しユニット３１が収納部３３に収納された際に瞬間的に電圧不安定状態が発生した場合でも、各部（転写部９、定着部１０、排紙搬送部１１、循環搬送部１２）が誤動作することを防止することができる。
【００６４】
【発明の効果】
請求項１記載の発明によれば、外部から電力が供給され電子写真方式により転写材に画像形成を行なう画像形成装置において、前記電力の供給を受ける少なくとも一つの被給電部を含み、装置本体の収納部に対して収納及び引き出し自在な引き出しユニットと、前記引き出しユニットに設けられ、前記引き出しユニットに含まれる前記被給電部に前記装置本体側から前記電力を供給するためのハーネスが接続される基板と、前記基板に接続され、前記引き出しユニットの前記収納部に対する収納及び引き出しに伴い前記装置本体に対して接離する電極と、前記電極による電圧変化に基づいて前記収納部から前記引き出しユニットが引き出されたことを検出する検出手段と、前記引き出しユニットが前記収納部から引き出されたことを前記検出手段が検出した場合、前記引き出しユニットに含まれる前記被給電部をリセット状態とする第一のリセット手段と、を備えることにより、例えばユーザにより引き出しユニットが収納部から引き出された場合には、電極が装置本体から離反し、この電極の装置本体からの離反に伴う電極による電圧変化に基づいて引き出しユニットが収納部から引き出されたことを検出手段が検出し、その検出に応じて第一のリセット手段が引き出しユニットに含まれる被給電部をリセット状態とするので、引き出しユニットが装置本体から引き出された際に引き出しユニットに含まれる被給電部が動作することを、例えばインターロックスイッチのような複雑な機構を特に設けることなく、簡素な構成で防止することができる。
【００６５】
請求項２記載の発明によれば、請求項１記載の画像形成装置において、感光体にトナー像を形成する作像部を備え、前記引き出しユニットは、前記被給電部であり転写材にトナー像を転写する転写部と、前記被給電部でありトナー像を転写材に定着させる定着部と、前記被給電部であり転写材を排紙する排紙搬送部と、前記被給電部でありトナー像が定着された後の転写材を裏返して前記作像部に再送する循環搬送部とを含むことにより、転写部、定着部、排紙搬送部、循環搬送部のメンテナンスを容易に行なうことができる。
【００６６】
請求項３記載の発明によれば、請求項１又は２記載の画像形成装置において、前記装置本体側からのリセット信号により前記引き出しユニットに含まれる前記被給電部をリセット状態とする第二のリセット手段を備えることにより、引き出しユニットに含まれる被給電部に対して装置本体側からリセットをかけることが可能であるので、例えば、画像形成装置の電源投入時に装置本体側から被給電部に対してリセットをかけることにより、画像形成装置の電源投入時において電圧不安定状態となった場合でも、引き出しユニットにおける誤動作の発生を防止することができる。
【００６７】
請求項４記載の発明によれば、請求項１，２又は３記載の画像形成装置において、前記検出手段は、前記電極による電圧変化に基づいて前記収納部に前記引き出しユニットが収納されたことも検出することにより、引き出しユニットの収納部に対する収納の検出のために機構を別途設ける必要がないので、画像形成装置を簡素な構成とすることができる。
【００６８】
請求項５記載の発明によれば、請求項４記載の画像形成装置において、前記電極は、複数設けられ、前記検出手段は、複数の前記電極による電圧変化に基づいて前記収納部に前記引き出しユニットが収納されたことを検出することにより、複数の情報に基づいて引き出しユニットの収納部に対する収納を検出するので、その検出をより確実なものとすることができる。
【００６９】
請求項６記載の発明によれば、請求項４又は５記載の画像形成装置において、前記引き出しユニットに含まれる前記被給電部を制御する個別制御部と、前記個別制御部を制御するユニット制御部と、前記検出手段が前記収納部に前記引き出しユニットが収納されたことを検出した場合、前記ユニット制御部を前記個別制御部よりも早く動作可能とさせる時間差立ち上げ手段と、を備えることにより、引き出しユニットが収納部に収納された際にメイン制御部により個別制御部を制御することが可能となるので、例えば、引き出しユニットが収納部に収納された際にユニット制御部により個別制御部を制御してそれらの個別制御部に対応する被給電部をリセット状態に維持することができ、引き出しユニットが収納部に収納された際に瞬間的に電圧不安定状態が発生した場合でも、各被給電部が誤動作することを防止することができる。
【図面の簡単な説明】
【図１】本発明の第一の実施の形態の画像形成装置を示す正面断面図である。
【図２】引き出しユニットが引き出された状態の画像形成装置を示す側面図である。
【図３】引き出しユニットを背面側から示す斜視図である
【図４】装置本体と引き出しユニットとハーネスとの関係を示す斜視図である。
【図５】ハーネスガイドを示す平面図である。
【図６】ハーネスガイドを示す斜視図である。
【図７】画像形成装置が備える各部の電気的接続を示すブロック図である。
【図８】引き出しユニットが収納された状態での信号検出回路を示す模式図である。
【図９】引き出しユニットが引き出された状態での信号検出回路を示す模式図である。
【図１０】本発明の第二の実施の形態の信号検出回路を示す模式図である。
【図１１】本発明の第三の実施の形態の引き出しユニットを示す背面側から示す斜視図である。
【図１２】本発明の第四の実施の形態の信号検出回路と遅延回路とを示す模式図である。
【符号の説明】
１      画像形成装置
３      用紙（転写材）
７      用紙搬送部（被給電部）
８      作像部（被給電部）
９      転写部（被給電部）
１０    定着部（被給電部）
１１    排紙搬送部（被給電部）
１２    循環搬送部（被給電部）
１４    感光体
３１    引き出しユニット
３２    装置本体
３３    収納部
３５    位置決めピン（電極）
３６    ハーネス
３７    ＰＣＢ基板（基板）
５５    ユニット制御部（被給電部）
５６    転写制御部（個別制御部）
５７    定着制御部（個別制御部）
５８    排紙搬送制御部（個別制御部）
５９    循環搬送制御部（個別制御部）
６０    信号検出回路（検出手段）
８１    遅延回路（時間差立ち上げ手段）
【図１】
2004252182.tif 000003
【図２】
2004252182.tif 000004
【図３】
2004252182.tif 000005
【図４】
2004252182.tif 000006
【図５】
2004252182.tif 000007
【図６】
2004252182.tif 000008
【図７】
2004252182.tif 000009
【図８】
2004252182.tif 000010
【図９】
2004252182.tif 000011
【図１０】
2004252182.tif 000012
【図１１】
2004252182.tif 000013
【図１２】
2004252182.tif 000014